(57)【要約】【課題】円偏光板とタッチパネル用センサーフィルムとを一体化して光学フィルムを構成する場合に、十分な可撓性を確保することができるようにする。【解決手段】円偏光板６とタッチパネル用センサーフィルム７とを積層した光学フィルム３において、円偏光板６は、直線偏光板１５と１／４波長板１７とが積層され、１／４波長板１７は、少なくとも逆分散特性の光学異方性を備えた高分子フィルム材（２１）により、透過光に１／４波長分の位相差を付与する１／４波長位相差層２１を備える。【選択図】図１
2015069158.tif 000002
【特許請求の範囲】
【請求項１】
円偏光板とタッチパネル用センサーフィルムとを積層した光学フィルムにおいて、
前記円偏光板は、
直線偏光板と１／４波長板とが積層され、
前記１／４波長板は、
透過光に１／４波長分の位相差を付与し、１／４波長板としての機能を担う１／４波長位相差層が、逆分散特性の光学異方性を備えた高分子フィルム材により作製された
光学フィルム。
【請求項２】
前記タッチパネル用センサーフィルムは、
金属電極材により電極が作製された
請求項１に記載の光学フィルム。
【請求項３】
前記１／４波長板は、
さらに＋Ｃプレートを備える
請求項１又は請求項２に記載の光学フィルム。
【請求項４】
前記＋Ｃプレートが、
前記タッチパネル用センサーフィルム及び前記１／４波長位相差層の間、又は前記１／４波長位相差層の前記タッチパネル用センサーフィルムとは逆側に設けられた
請求項４に記載の光学フィルム。
【請求項５】
請求項１、請求項２、請求項３、請求項４の何れかに記載の光学フィルムを画像表示パネルのパネル面に配置した
画像表示装置。
【請求項６】
前記画像表示パネルが、可撓性を有する有機ＥＬパネルである
請求項５に記載の画像表示装置。
【請求項７】
円偏光板とタッチパネル用センサーフィルムとを積層した光学フィルムの製造方法において、
逆分散特性の光学異方性を備えた高分子フィルム材による基材を円偏光板又は前記タッチパネル用センサーフィルムに積層する第１の積層工程と、
前記第１の積層工程で作成した積層体を、前記タッチパネル用センサーフィルム又は前記円偏光板と積層する第２の積層工程とを備える
光学フィルムの製造方法。
【発明の詳細な説明】
【技術分野】
【０００１】
本発明は、円偏光板による反射防止フィルムとタッチパネル用センサーフィルムとの積層体による光学フィルムに関する。
【背景技術】
【０００２】
従来、画像表示装置に関して、画像表示パネルのパネル面（視聴者側面）に円偏光板による光学フィルムを配置し、この光学フィルムにより外来光の反射を低減する方法が提案されている。ここでこの光学フィルムは、直線偏光板、１／４波長板の積層により構成され、画像表示パネルのパネル面に向かう外来光を直線偏光板により直線偏光に変換し、続く１／４波長板により円偏光に変換する。ここでこの円偏光による外来光は、画像表示パネルの表面等で反射するものの、この反射の際に偏光面の回転方向が逆転する。その結果、この反射光は、到来時とは逆に、１／４波長板により、直線偏光板で遮光される方向の直線偏光に変換された後、続く直線偏光板により遮光され、その結果、外部への出射が著しく抑制される。
【０００３】
この光学フィルムに関して、特許文献１等には、透過光に１／２波長分の位相差を付与する１／２波長位相差層、透過光に１／４波長分の位相差を付与する１／４波長位相差層を積層して１／４波長板を構成することにより、正の分散特性による液晶材料を使用して１／４波長板を逆分散特性により機能させる方法が提案されている。なおここで逆分散特性とは、短波長側ほど透過光における位相差が小さい波長分散特性であり、より具体的には、４５０ｎｍの波長におけるリタデーション（Ｒ４５０）と、５５０ｎｍの波長におけるリタデーション（Ｒ５５０）との関係が、Ｒ４５０＜Ｒ５５０である特性である。特許文献２、３には、１／４波長板等に適用可能であって、逆分散特性の光学異方性を備えた高分子フィルムが提案されている。また特許文献４、５には、直線偏光板の厚みを薄くする工夫が提案されている。
【０００４】
またこの種の画像表示装置では、画像表示パネルのパネル面にタッチパネル用センサーフィルムを配置する構成も採用されている。このタッチパネル用センサーフィルムは、ＩＴＯ（Ｉｎｄｉｕｍ  Ｔｉｎ  Ｏｘｉｄｅ）による透明電極材により電極を構成することにより、画像表示パネルのパネル面に配置して視認性の劣化を有効に回避できるように作製されている。また特許文献６等には、ＩＴＯに代えて、金属電極材により電極を形成する方法等が提案されている。また特許文献７、８には、この種のタッチパネル用センサーフィルムに関して、円偏光板を配置することが言及されている。
【０００５】
ところでこの種の画像表示装置である有機ＥＬパネルは、近年、可撓性を有するシート形状によるものが提供されつつある。このような可撓性を有するシート形状による画像表示装置では、例えば全体を外向きに折り曲げたり、これと逆向きに折り曲げたりした状態で、画像を表示することができ、従来に比して一段とこの種の画像表示装置の適用分野を拡大し得ると考えられる。
【０００６】
しかしながらこのように全体を外向きに折り曲げたり、これと逆向きに折り曲げたりした状態で画像表示する場合には、従来に比して格段的に外来光の反射を低減することが必要になる。これによりこのような可撓性を有するシート形状による画像表示装置においては、上述の円偏光板による光学フィルムを配置することにより、外来光による影響を有効に回避することが必要であると考えられる。特に有機ＥＬパネルでは、内部電極による外来光の反射が著しいことにより、この種の光学フィルムを適用することが望まれる。
【０００７】
またユーザーインターフェースを向上させる観点から、このような可撓性を有する有機ＥＬパネルに適用する光学フィルムにあっては、タッチパネル用センサーフィルムを一体に設けることが望まれ、この場合に、画像表示パネルの可撓性を損なわないようにすることが求められる。
【先行技術文献】
【特許文献】
【０００８】
【特許文献１】特開平１０−６８８１６号公報
【特許文献２】特開２００７−１７１７５６号公報
【特許文献３】特開２０１０−２３０８３２号公報
【特許文献４】特開２０１２−７３５６３号公報
【特許文献５】特開２０１２−６８６７７号公報
【特許文献６】特開２０１０−２５７３５０号公報
【特許文献７】特開２００７−１４０７９６号公報
【特許文献８】特開２００９−１７６１９８号公報
【発明の概要】
【発明が解決しようとする課題】
【０００９】
本発明はこのような状況に鑑みてなされたものであり、円偏光板とタッチパネル用センサーフィルムとを一体化して光学フィルムを構成する場合に、十分な可撓性を確保することができるようにする。
【課題を解決するための手段】
【００１０】
本発明者は、上記課題を解決するために鋭意研究を重ね、逆分散特性の光学異方性を備えた高分子フィルム材を使用して１／４波長板を作製するとの着想に至り、本発明を完成するに至った。
【００１１】
（１）  円偏光板とタッチパネル用センサーフィルムとを積層した光学フィルムにおいて、
前記円偏光板は、
直線偏光板と１／４波長板とが積層され、
前記１／４波長板は、
透過光に１／４波長分の位相差を付与し、１／４波長板としての機能を担う１／４波長位相差層が、逆分散特性の光学異方性を備えた高分子フィルム材により作製された。
【００１２】
（１）によれば、逆分散特性の光学異方性を備えた高分子フィルム材により１／４波長位相差層を作製して１／４波長板を作製することにより、全体の厚みを薄くして可撓性を確保することができ、また広い波長帯域で十分に反射防止を図ることができる。
【００１３】
（２）  （１）において、
前記タッチパネル用センサーフィルムは、
金属電極材により電極が作製された。
【００１４】
（２）によれば、曲げ等対する耐性を確保できることにより、一段と可撓性を確保することができる。
【００１５】
（３）  （１）又は（２）において、
前記１／４波長板は、
さらに＋Ｃプレートを備える。
【００１６】
（３）によれば、斜め方向の光学特性を正面方向の光学特性に近づけることができ、視野角特性を向上することができる。
【００１７】
（４）  （１）、（２）、（３）の何れかにおいて、
前記＋Ｃプレートが、
前記タッチパネル用センサーフィルム及び前記１／４波長位相差層の間、又は前記１／４波長位相差層の前記タッチパネル用センサーフィルムとは逆側に設けられた。
【００１８】
（４）によれば、タッチパネル用センサーフィルムが画像表示パネル側となるように画像表示パネルに配置する場合、これとは逆に円偏光板が画像表示パネル側となるように画像表示パネルに配置する場合に、より具体的構成により視野角特性を向上することができ、またそれぞれ＋Ｃプレートの配置位置に応じて、特有の効果を得ることができる。
【００１９】
（５）  （１）、（２）、（３）、（４）の何れかに記載の光学フィルムを画像表示パネル面に配置した画像表示装置。
【００２０】
（５）によれば、タッチパネル用センサーフィルムと円偏光板との積層体による光学フィルムを配置して、可撓性を十分に確保してなる画像表示装置を得ることができる。
【００２１】
（６）  （５）において、
前記画像表示パネルが、可撓性を有する有機ＥＬパネルである。
【００２２】
（６）によれば、より具体的構成により、タッチパネル用センサーフィルムと円偏光板との積層体による光学フィルムを配置して、可撓性を十分に確保してなる画像表示装置を得ることができる。
【００２３】
（７）  円偏光板とタッチパネル用センサーフィルムとを積層した光学フィルムの製造方法において、
逆分散特性の光学異方性を備えた高分子フィルム材による基材を円偏光板又は前記タッチパネル用センサーフィルムに積層する第１の積層工程と、
前記第１の積層工程で作成した積層体を、前記タッチパネル用センサーフィルム又は前記円偏光板と積層する第２の積層工程とを備える。
【００２４】
（７）によれば、逆分散特性の光学異方性を備えた高分子フィルム材により１／４波長位相差層を作製して円偏光板を構成することにより、全体の厚みを薄くして広い波長帯域で十分に反射防止を図ることができ、これにより全体の厚みを薄くして可撓性を確保することができる。
【発明の効果】
【００２５】
本発明によれば、円偏光板とタッチパネル用センサーフィルムとを一体化して光学フィルムを構成する場合に、十分な可撓性を確保することができる。
【図面の簡単な説明】
【００２６】
【図１】本発明の第１実施形態に係る画像表示装置を示す断面図である。
【図２】図１の画像表示装置に適用される光学フィルムを示す断面図である。
【図３】タッチパネル用センサーフィルムの他の例を示す図である。
【図４】図２の光学フィルムの説明に供する図である。
【図５】図２の光学フィルムの製造工程の説明に供する図である。
【図６】本発明の第２実施形態に係る円偏光板を示す図である。
【図７】本発明の第２実施形態に係る画像表示装置を示す図である。
【発明を実施するための形態】
【００２７】
〔第１実施形態〕
〔光学フィルム及び画像表示装置〕
図１は、本発明の第１実施形態に係る画像表示装置を示す図であり、図２は、この画像表示装置に係る光学フィルム３を示す図である。この画像表示装置１は、画像表示パネル２のパネル面（視聴者側面）に、光学フィルム３が配置される。ここで画像表示パネル２は、可撓性を有するシート状の有機ＥＬパネルであり、所望のカラー画像を表示する。より具体的に、画像表示パネル２は、平板形状による有機ＥＬパネルに使用されるガラス板による基材に代えて、透明フィルム又は厚みの薄いガラス板（厚みが５０μｍ以下）を使用して作製されることにより、十分な可撓性を有するシート状に構成される。なお光学フィルム３は、可撓性を有するシート状の有機ＥＬパネル２に限らず、平板形状の有機ＥＬパネル、液晶表示パネル等、種々の画像表示パネルに広く適用することができる。光学フィルム３は、セパレータフィルムを剥離して粘着剤である感圧接着剤による接着層４を露出させた後、この接着層４により、画像表示パネル２のパネル面に貼り付けられて保持される。なお感圧接着剤に代えて紫外線硬化性樹脂、熱硬化性樹脂剤等、各種の接着剤、粘着剤を広く適用することができ、全体の厚みを薄くする観点から、紫外線硬化性樹脂を適用することが好ましく、この場合は厚み１μｍ程度により作製することができる。
【００２８】
光学フィルム３は、円偏光板６とタッチパネル用センサーフィルム７とを接着層１１により貼り合せた積層体により構成され、タッチパネル用センサーフィルム７が画像表示パネル２側となるように配置される。ここでタッチパネル用センサーフィルム７は、Ｘ方向及びＹ方向に係る電極８Ｘ及び８Ｙを一定の間隔だけ離間して対向するように保持して構成され、この実施形態では、この電極８Ｘ及び８Ｙが、銅等の金属電極材により構成される。これによりこの実施形態では、タッチパネル用センサーフィルム７の可撓性を十分に確保して、光学フィルム３の可撓性、さらには画像表示装置１の可撓性を確保する。
【００２９】
タッチパネル用センサーフィルム７は、透明フィルムによる基材９Ｘ及び９Ｙにそれぞれ電極８Ｘ及び８Ｙを作製し、この基材９Ｘ及び９Ｙを接着層１０により積層して構成される。ここで基材９Ｘ及び９Ｙは、ＰＥＴフィルム、ＴＡＣ（トリアセチルセルロース）等の透明フィルムを適用することができるものの、円偏光板６による反射防止機能を十分に発揮させる観点から、光学異方性の小さな材料を適用することが好ましい。
【００３０】
電極８Ｘ及び８Ｙは、銀、銅、金、アルミニウム等が好適に用いられる。電極８Ｘ及び８Ｙは、単体の金属や合金であってもよく、金属粒子が結着材により結着されたものでもよい。なお電極８Ｘ及び８Ｙは、必要に応じて、金属表面に防錆処理が施される。
【００３１】
電極８Ｘ及び８Ｙは、フォトリソグラフィー（エッチング）、パターン印刷、転写、自己組織化等により作製することができる。ここでフォトリソグラフィーにより作製する場合は、基材９Ｘ、９Ｙにラミネート、蒸着、スパッタリング等により金属層を作製し、この金属層をエッチングして作製する。パターン印刷で作製する手法としては、導電性インキを所定のパターンに印刷する手法、無電解めっきの触媒機能を有する材料を電極パターンの形状により印刷した後、導電性金属を無電解めっきする手法、無電解めっきの触媒と付加体を形成する材料を印刷後、触媒を付加し無電解めっき処理を行う手法等が挙げられる。導電性インキとしては銀ペースト、銅ペースト、導電性高分子等が挙げられる。触媒機能を有する材料としてはパラジウム等の触媒粒子や、触媒粒子を表面に担持した粒子等を含むインキ等が挙げられる。触媒と付加体を形成する材料としては銀や導電性高分子、吸着性材料等を含むインキ等が挙げられる。無電解めっき層を形成する金属としては銅やニッケル、銀等の導電性金属が挙げられる。上記パターン印刷の方法としては必要とされるパターン精度により任意の手法が適用できるが、スクリーン印刷や、凹版オフセット印刷、あるいはＵＶ硬化プライマーにより凹版から転写させる方法等が好適に用いられる。接着層１０、１１は、紫外線硬化性樹脂、熱硬化性樹脂剤等、各種の接着剤、粘着剤を広く適用することができるものの、全体の厚みを薄くする観点から、紫外線硬化性樹脂を適用することが好ましい。
【００３２】
なおタッチパネル用センサーフィルム７は、図３に示すように、基材９ＸＹの両面にそれぞれ電極８Ｘ及び８Ｙを作製してもよい。またこの場合に、他の基材に１方の電極（図２の例では電極８Ｙ）を作製し、他方の電極８Ｘに係る基材９ＸＹに接着層１２によりこの電極８Ｙを転写して配置してもよい。
【００３３】
円偏光板６は、直線偏光板１５と１／４波長板１７とを接着層１８により貼り合せて構成される。ここで直線偏光板１５は、ＴＡＣ（トリアセチルセルロース）等の透明フィルムからなる基材の下面側が鹸化処理された後、直線偏光板として機能を担う光学機能層が配置される。なお基材は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。光学機能層は、例えばポリビニルアルコール（ＰＶＡ）によるフィルム材に、ヨウ素化合物分子を吸着配向させて作製される。また直線偏光板１５は、特開２０１２−７３５６３号公報、特開２０１２−６８６７７号公報等に開示の構成を適用してもよい。
【００３４】
１／４波長板１７は、逆分散特性の光学異方性を備えた透明の高分子フィルム材により、透過光に１／４波長分の位相差を付与する１／４波長位相差層２１が設けられ、この１／４波長位相差層２１により１／４波長板としての機能を担うように構成される。ここで図４に示すように、矢印により示す直線偏光板１５の吸収軸に対して、１／４波長位相差層２４は、遅相軸（矢印により示す）が反時計回りに４５度の角度を成すように配置される。これにより円偏光板６は、広い波長帯域で十分に外来光の反射を防止できるように構成される。ここでこの逆分散特性の光学異方性を備えた透明の高分子フィルム材は、例えばポリカーボネート、特開２００７−１７１７５６号公報、特開２０１０−２３０８３２号公報等に開示のフィルム材等、各種の延伸フィルム材を適法することができる。
【００３５】
さらに１／４波長板１７は、＋Ｃプレート２２が設けられ、これにより斜め方向の光学特性を正面方向の光学特性に近づけ、一段と光学特性が向上される。ここでこの斜め方向に係る光学特性は、反射防止率、表示画面の色味等である。なお＋Ｃプレートは、ｎｘ＝ｎｙ＜ｎｚにより光学特性が表される。但し、ｎｘ、ｎｙ（ｎｘ≧ｎｙ）は面内方向の屈折率であり、ｎｚは厚さ方向の屈折率である。
【００３６】
より具体的に、１／４波長板１７は、直線偏光板１５側から、１／４波長位相差層２１、Ｃプレートの作製に供する配向膜２５、＋Ｃプレート２２が順次設けられる。
【００３７】
配向膜２５は、基板上に塗膜として設けることで、＋Ｃプレート２２に適用される液晶分子の分子軸をホメオトロピック配向させる機能を有する配向膜であり、ＶＡ液晶表示装置等に適用される各種の垂直配向膜を適用することができ、例えばポリイミド配向膜、ＬＢ膜による配向膜等を適用することができる。具体的に、配向膜２５の構成材料としては、例えば、レシチン、シラン系界面活性剤、チタネート系界面活性剤、ピリジニウム塩系高分子界面活性剤、ｎ−オクタデシルトリエトキシシラン等のシランカップリング系垂直配向膜用組成物、長鎖アルキル基や脂環式構造を側鎖に有する可溶性ポリイミドや長鎖アルキル基や脂環式構造を側鎖に有するポリアミック酸等のポリイミド系垂直配向膜用組成物が挙げられる。より具体的には、垂直配向膜用組成物として、ジェイエスアール（株）製のポリイミド系垂直配向膜用組成物「ＪＡＬＳ−２０２１」や「ＪＡＬＳ−２０４」、日産化学工業（株）製の「ＲＮ−１５１７」、「ＳＥ−１２１１」、「ＥＸＰＯＡ−０１８」等の市販品を適用することができる。なお垂直配向膜２５は、＋Ｃプレート２２に適用される液晶化合物によっては、省略することも可能である。
【００３８】
＋Ｃプレート２２は、棒状液晶、アクリル基材の延伸フィルム等による位相差層を適用することができ、より具体的には下記の（１）〜（１３）の化合物の何れかを適用することができる。＋Ｃプレート２２は、液晶材料の塗工液を塗布した後、配向膜２５の配向規制力により屈折率異方性を保持した状態で液晶材料を固化（硬化）して形成される。
【００３９】
【化１】
2015069158.tif 000003
【００４０】
この実施形態において、円偏光板６は、１／４波長位相差層２１に係るフィルム材を基材として使用して、このフィルム材に配向膜２５、＋Ｃプレート２２を順次作製し構成され、これにより全体の厚みを十分に薄くして十分な可撓性を確保できるように構成される。
【００４１】
すなわち円偏光板６は、１／４波長位相差層２１に係るフィルム材に配向膜２５に係る塗工液を塗布して乾燥硬化することにより配向膜２５が作製される。また続いて配向膜２５の上に液晶化合物の塗工液が塗布された後、乾燥硬化されて＋Ｃプレート２２が作製され、これにより１／４波長板１７が作製される。
【００４２】
光学フィルム３は、図５に示すように、第１の積層工程において、接着層１８により１／４波長板１７が直線偏光板１５に貼り付けられ（図６（Ａ））、これにより円偏光板６が作製される。また別工程において、タッチパネル用センサーフィルム７が作製され、第２の積層工程において、接着層１１によりタッチパネル用センサーフィルム７と円偏光板６とが一体化され、さらに接着層４、セパレータフィルムが設けられる（図６（Ｂ））。その後、セパレータフィルムが剥離されて画像表示パネル２のパネル面に配置される（図１参照）。
【００４３】
この実施形態によれば、逆分散特性の光学異方性を備えた高分子フィルム材を使用して１／４波長板を作製することにより、全体の厚みを薄くして十分な可撓性を確保することができる。また円偏光板の機能を損なう光学異方性を有する層構成を低減することができ、広い波長帯域で一段と反射防止効果を確保することができる。
【００４４】
また銅等の金属電極材によりタッチパネル用センサーフィルムを作製することにより一段と可撓性を確保することができる。すなわちＩＴＯにより電極を作製してタッチパネル用センサーフィルムを構成する場合、このＩＴＯ電極のクラックにより十分な可撓性を確保することが困難であり、例えば可撓性を有する有機ＥＬパネルによる画像表示パネルに適用すると、この画像表示パネルの可撓性を著しく損なうことになる。これにより銅等の金属電極によりタッチパネル用センサーフィルムを作製して、クラックの発生を有効に回避することができ、その結果、曲げ等に対する耐性を確保することができる。しかしながらこのように銅等の金属電極によりタッチパネル用センサーフィルムを作製して曲げ等に対する耐性を確保する場合にあっても、単純に、円偏光板を構成したのでは、この円偏光板の厚みにより可撓性が損なわれることになる。しかしながら逆分散特性の光学異方性を備えた高分子フィルム材を使用して１／４波長板を作製する場合には、円偏光板に係る１／４波長板については、液晶化合物により位相差層を作製する場合の基材を省略して構成することができ、これにより厚みを十分に薄くして可撓性を確保することができる。これらにより十分な可撓性を確保することができる。
【００４５】
また、タッチパネル用センサーフィルム７を円偏光板６の画像表示パネル側に配置して、タッチパネル用センサーフィルム７の電極の反射を十分に抑圧することができ、これによりタッチパネル用センサーフィルム７の電極を視認困難とする黒化処理等を省略してタッチパネル用センサーフィルム７の構成を簡略化することができる。
【００４６】
またこのように１／４波長板の厚みを薄くできることにより、タッチパネル用センサーフィルム７を円偏光板６の画像表示パネル側に配置して、タッチパネル用センサーフィルム７の感度を十分に確保することができる。
【００４７】
また＋Ｃプレートの配置により視野角特性を向上することができる。またこの＋Ｃプレートを位相差層のタッチパネル用センサーフィルム側に配置したことにより、斜め方向から見た色味の変化を効率良く低減することができる。
【００４８】
〔第２実施形態〕
図６は、図２との対比により本発明の第２実施形態に係る円偏光板３６を示す図である。この実施形態は、円偏光板６に代えてこの円偏光板３６が配置される。この実施態ではこの円偏光板３６に関する構成が異なる点を除いて、第１実施形態と同一に構成される。
【００４９】
円偏光板３６は、直線偏光板１５側が＋Ｃプレート２２となるように作成される。より具体的に円偏光板３６は、直線偏光板１５から順に、接着層１８、＋Ｃプレート２２、配向膜２５、逆分散特性の光学異方性を有する高分子フィルムによる１／４位相差層２１が設けられる。
【００５０】
この実施形態によれば、直線偏光板１５側が＋Ｃプレート２２となるように円偏光板を構成しても、第１実施形態と同様の効果を得ることができる。
【００５１】
〔第３実施形態〕
図７は、本発明の第３実施形態に係る光学フィルムの製造工程の説明に供する図である。この実施形態では、画像表示パネル２側から円偏光板６、３６、タッチパネル用センサーフィルム７を配置する。この実施形態では、このタッチパネル用センサーフィルム７と円偏光板６、３６との配置に関する構成が異なる点を除いて、上述の第１又は第２実施形態と同一に構成される。
【００５２】
すなわちこの実施形態では、上述の第１又は第２実施形態と同様にして円偏光板３、３６が作製され、この円偏光板３、３６がタッチパネル用センサーフィルム７と一体化さたれる。
【００５３】
この実施形態では、タッチパネル用センサーフィルム７を視聴者側に配置する場合でも、上述の実施形態と同様の効果を得ることができる。またこの場合、タッチパネル用センサーフィルム７を直接ユーザが操作できることにより、一段と感度を向上して操作性を向上することができる。
【００５４】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００５５】
すなわち上述の実施形態では、賦型処理により位相差層に係る配向膜を作製する場合について述べたが、本発明はこれに限らず、光配向の手法により作製する場合にも広く適用することができる。
【００５６】
また上述の実施形態では、金属電極によりタッチパネル用センサーフィルムを作製する場合について述べたが、本発明はこれに限らず、実用上十分な場合にはＩＴＯにより作製する場合にも広く適用することができる。
【００５７】
また上述の実施形態では、直線偏光板に１／４波長板を積層して円偏光板を作製した後、タッチパネル用センサーフィルムと積層する場合について述べたが、本発明はこれに限らず、積層の順序を入れ替えて、１／４波長板をタッチパネル用センサーフィルム７と積層した後、直線偏光板と積層するようにしてもよい。
【符号の説明】
【００５８】
１、６０  画像表示装置
２  画像表示パネル
３  光学フィルム
４、１０、１１、１２、１８  接着層
６  円偏光板
７  タッチパネル用センサーフィルム
８Ｘ、８Ｙ  電極
９Ｘ、９Ｙ、９ＸＹ  基材
１５  直線偏光板
１７  １／４波長板
２１  １／４波長位相差層
２２  ＋Ｃプレート
２５  配向膜
【図１】
2015069158.tif 000004
【図２】
2015069158.tif 000005
【図３】
2015069158.tif 000006
【図４】
2015069158.tif 000007
【図５】
2015069158.tif 000008
【図６】
2015069158.tif 000009
【図７】
2015069158.tif 000010